(57)【要約】      （修正有）【課題】軽量で、製作及び調整が容易なＥメカニズムを提供する。【解決手段】Ｆ＃キイカップに接続するスクイを設け、Ｇ＃キイカップに接続するＧ＃を設け、スクイとＧ＃足を連絡させ、Ｆ＃キイカップを開閉することによってＧ＃キイカップの開閉を行う。【選択図】図４
0003154239.tif 000002
【実用新案登録請求の範囲】
【請求項１】
フルート属のＥメカニズムであって、
Ｆ＃キイカップのスクイ部分で、Ｇ＃足を押し上げる方法で
Ｇ＃キイカップの開閉を、Ｆ＃キイカップからの連動で行うことを特徴としたＥメカニズム。図４
【請求項２】
Ｇ＃キイカップのカム３部分を、Ｆ＃キイカップの連絡棒小で押し閉じる方法で、
Ｇ＃キイカップの開閉を、Ｆ＃キイカップからの連動で行うことを特徴としたＥメカニズム  図６
【請求項３】
Ｇ＃キイカップとＡキイカップを分離せず、Ｆ＃キイカップのスクイ部分で、Ｇ＃足を押し上げる方法で、
Ｇ＃キイカップ及びＡキイカップの開閉を、Ｆ＃キイカップからの連動で行うことを特徴としたＥメカニズム。図５
【考案の詳細な説明】
【技術分野】
【０００１】  本考案は、フルート属の構造で、Ｅメカニズムと呼ばれる高音のＥ音を容易に発音できる装置に関する
【背景技術】
【０００２】「図１」
フルートは内径１９ミリの管体２０に、トンホール１７と呼ばれる孔が開けられており、その孔は高さ約一ミリの煙突状に、胴部管で１３個立ち上げられている。其々のトンホールには、其々のキイカップが付けられており、それを開閉することで音階が作られる。
「図２」全てのキイカップには中空の細パイプ２４が溶接されており、細パイプ中空部２５に一方にネジを有した芯金２６を挿入、ポスト１９にネジこみ固定し、それを支点として上下動するよう管体に組み込まれている
キイカップ１８にはタンポ２１が装着されており、指で押さえると、ポスト１９で支えられた芯金２６を支点として下降、トンホール１７を閉じ、離すとバネによって開く、逆に押さえると開き、離すと閉じるキイカップも存在する。
其々のキイカップには名称があるが、本考案では、開いた時出る音名を名称とした。
足１６はキイカップの開き度合いを一定にするストッパーや、キイカップ間の連絡カムとしての役割を持っている。
フルートは頭部管、胴部管、足部管の３点で構成されているが、本考案は、胴部管のキイの構造に関する。
フルートは、通常、１オクターブから３オクターブ以上の音域を持っているが、その内、出し難い幾つかの音があり、それを出しやすくする為に様々な装置が考案されている。特に３オクターブのＥ音は演奏中発音ミスが多く、それを防ぐためにＥメカニズムと言う装置が従来から考案され実用化されている。「以下単にＥメカと記す」
従来のＥメカが付いたもの「図３打点部分」
Ｅ音を出すために、Ｆキィカップ１を閉じると
継ぎ手９、連絡棒１０、レバー１１、ボッチ２３を介して、Ｇ＃キィカップ４が連動して閉じる。つまりＥメカとは、Ｆキイカップ１を閉じた時、連動してＧ＃カップ４が閉じる構造である。そのために、本来一体であるＡキイカップ５と、Ｇ＃キイカップ４は中央で分離して、Ｇ＃キイカップ４を単独で動くようにしなければならない。しかしＡキイカップ５を押さえ閉じたときは、Ｇ＃キイカップ４も閉じなければならないため、カム１「８」及びカム２「７」が付けられている。
【考案の開示】
【考案が解決しようとする課題】
【０００３】従来のＥメカは、大型で外観を損なうだけでなく、部品数が多いことで、調整も困難であった。更に、演奏時邪魔になる等、問題が多かった。
【問題を解決するための手段】
【０００４】    本考案は、上記問題点を解決するため、「図３」従来のＥメカに使用されていた、継ぎ手９、連絡棒１０、レバー１１、ボッチ２３を廃して、「図４」Ｇ＃足３を、Ｇ＃キイカップ４に取り付け、Ｆ＃キイカップ２と一体のスクイ６を利用してＧ＃足３を押し上げ閉じる。つまり、従来、Ｆキイカップ「１」から連動して閉じていたＧ＃カップ４を、Ｆ＃キイカップ２から連動して閉じるようにしたことである。
スクイ６は元来、図１、Ｇキイカップ２９及びアイスレバー２２を連動させるためのものであるが、本考案では更に、図４、Ｇ＃足３もスクイ６によって連動させ、Ｆ＃キイカップ２からの連動でＧ＃カップ４の連動開閉を行うようにした。
なぜＦキイカップ１から連動して閉じていたＧ＃キイカップ４を、Ｆ＃キイカップ２からの連動で閉じて、も同様の効果が得られるか、述べると、
３オクターブのＥ音を発音する運指は、必ず、Ｆキィカップ１及びＦ＃キイカップ２を同時に閉じなければならない。従って、図３、従来、Ｆキィカップ１から連動していたＧ＃キィカップ４の開閉を、「図４」Ｆ＃キイカップ２のスクイ６からＧ＃足３を経て連動開閉させても同様の効果が得られるのである。では、Ｆ＃キイカップ２を単独で開閉した場合、従来閉じなかったＧ＃キイカップ４も閉じてしまう弊害はないのか、運指、操作性、音程等、多方面から検討してみたが、問題点は発見できなかった。
【考案の効果】
【０００５】従来のＥメカは、運指の邪魔になる、大型で重くて外観を損なう等の問題があった。
本考案は、図３、従来必要であった、継ぎ手９、連絡棒１０、レバー１１、ボッチ２３を廃して、図４、Ｇ＃足３、を設けるだけで効果が得られるうえ、軽量でシンプル、更に、製作及び調整が容易であることから、安価で供給できる。
【考案を実施するための最良の形態】
【０００６】本考案は、「図３」従来Ｆキイカップ１、に付けられていた、継ぎ手９、連絡棒１０、レバー１１、ボッチ２３を廃したことで、従来の問題点を解決することができたが、「図５」Ｇ＃足３とスクイ６の連絡部に、調整可能な隙間１５を設けておき、適宜隙間の調整をすることで、更に応用範囲を広げることができる。隙間１５の、隙間調整は、Ｇ＃足３を上下に曲げて行うが、隙間調整ネジ３９を設けて行うことも可能である。「図７」
【図面の簡単な説明】
【０００７】
【図１】フルートの組み立て上面展開図「Ｅメカのついていないもの」「管体部省略」「キイカップ類の名称はそのキイカップを開いた時発音する音名で記す」
【図１−１】図１の管体部「胴部管」アルファベットはそのトンホールから出る音名。
【図２】側面図「拡大図」「管体部断面」
【図２−１】キイカップ斜視図「従来のＥメカ用Ｇ＃キイカップ」と芯金
【図３】従来のＥメカ「打点部分」が付いた上面展開図「管体部及び裏Ｇ＃キイカップは省略」
【図３−１】図３の分解図
【図４】本考案のＥメカ「打点部分」がついた上面展開図「管体部及び裏Ｇ＃カップは省略」Ｆ＃キイカップ２からＧ＃足３の連絡部は「前面図」であらわす。
【図４−１】図４の分解図
【図５】本考案の、応用例１  Ｇ＃キイカップ４及びＡキイカップ５を分離せず、Ｆ＃キイカップ２を押さえ閉じることで、スクイ６及びＧ＃足３を経て両キイカップを閉じる。分離しないことで発生する弊害は、Ｆ＃キイカップ２を閉じたとき、連動してＧ＃キイカップ４及びＡキイカップ５も閉じるが、それを全閉せず約３分の２だけ閉じることで解決できる。そのためには、スクイ６とＧ＃足３の連絡部に隙間域１５を設け、Ｇ＃足３を上下に曲げ、Ｇ＃キイカップ及びＡキイカップ５が約３分の２閉じるよう調整する。また、Ｇ＃足３に隙間調整ネジ３９を設け、回転させることで調整してもよい。図７
【図５−１】図５の分解図
【図６】本考案の、応用例２  Ｇ＃キイカップ４及びＡキイカップ５を分離せず、Ｆ＃キイカップ２の継ぎ手小１４及び連絡棒小１３、カム３「１２」を経て、Ｇ＃キイカップ４及びＧ＃キイカップ１５を連動する。Ｇ＃キイカップ４及びＡキイカップ５を分離しないことで発生する弊害は、Ｆ＃キイカップ２を押さえ閉じたとき、Ｇ＃キイカップ４及びＡキイカップ５を全閉せず３分の２だけ閉じるように調整することで解決できる。調整方法は、連絡棒小１３、カム３「１２」の連絡部にＧ＃キイカップ４とＡキイカップ５を３分の２閉じるよう調整した隙間を設ける。
【図６−１】図６の分解図
【図７】本考案の応用例１の参考図  隙間調整ネジ取り付け図  隙間調整ネジ３９は、貫通ネジ孔を設けたＧ＃足３にねじ込まれ、先端はスクイ６に接しておりネジを回転させることで隙間度を調整できる。また、一定以上緩めることでＥメカとしての機能を解除するためにも使用できる。Ｅメカは、稀ではあるが特殊な運指に障害となる場合があり、解除機能は有益である。
【符号の説明】
【０００８】「キイカップ名称は開いた時出る音名で記す」
１    Ｆキイカップ      １８  キイカップ          ３５  ブリチャルディキイ
２    Ｆ＃キイカップ    １９  ポスト              ３６  ブリチャルディＣキイ
３    Ｇ＃足            ２０  管体                ３７  Ｄトリルキイカップ
４    Ｇ＃キイカップ    ２１  タンポ              ３８  Ｄ＃トリルキイカップ
５    Ａキイカップ      ２２  アイスレバー        ３９  隙間調整ネジ
６    スクイ            ２３  ボッチ
７    カム２            ２４  細パイプ
８    カム１            ２５  細パイプ中空部
９    継ぎ手            ２６  芯金
１０  連絡棒            ２７  接続管
１１  レバー            ２８  Ｅキイカップ
１２  カム３            ２９  Ｇキイカップ
１３  連絡棒小          ３０  Ｂ♭キイカップ
１４  継ぎ手小          ３１  Ｂキイカップ
１５  隙間調整域        ３２  Ｃ＃押キイ
１６  開度調整足        ３３  Ｃ＃キイカップ
１７  トンホール        ３４  裏Ｇ＃キイカップ
【図１】
0003154239.tif 000003
【図１−１】
0003154239.tif 000004
【図２】
0003154239.tif 000005
【図２−１】
0003154239.tif 000006
【図３】
0003154239.tif 000007
【図３−１】
0003154239.tif 000008
【図４】
0003154239.tif 000009
【図４−１】
0003154239.tif 000010
【図５】
0003154239.tif 000011
【図５−１】
0003154239.tif 000012
【図６】
0003154239.tif 000013
【図６−１】
0003154239.tif 000014
【図７】
0003154239.tif 000015
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
Ｆ＃キイカップがＧ＃キイカップと連動することによりＥ音を容易に発音させるフルート属のＥメカニズムであって、 前記Ｆ＃キイカップに接続するスクイを設け、 前記Ｇ＃キイカップに接続するＧ＃足を設け、 前記スクイと前記Ｇ＃足を連絡させ、前記Ｆ＃キイカップを開閉することによって前記Ｇ＃キイカップの開閉を行うようにしたことを特徴とするＥメカニズム。
【請求項２】
Ｇ＃キイカップとＡキイカップを分離せず連動する構成とし、Ｆ＃キイカップを開閉することによって前記Ｇ＃キイカップの開閉のみならずＡキイカップの開閉も行うようにした請求項１に記載のＥメカニズム。
【請求項３】
前記スクイと前記Ｇ＃足の連絡部に隙間域を設け、Ｆ＃キイカップを閉じたときに、Ａキイカップが全閉しないようにした請求項２に記載のＥメカニズム。
【請求項４】
Ｆ＃キイカップがＧ＃キイカップと連動することによりＥ音を容易に発音させるフルート属のＥメカニズムであって、 前記Ｆ＃キイカップに接続する連絡棒小を設け、 前記Ｇ＃キイカップに接続するカムを設け、 前記連絡棒小と前記カムを連絡させ、かつＧ＃キイカップとＡキイカップを分離せず連動する構成とし、Ｆ＃キイカップを開閉することによって前記Ｇ＃キイカップの開閉のみならずＡキイカップの開閉も行うようにしたことを特徴とするＥメカニズム。
【請求項５】
前記連絡棒小と前記カムの連絡部に隙間を設け、Ｆ＃キイカップを閉じたときに、Ａキイカップが全閉しないようにした請求項４に記載のＥメカニズム。
【請求項６】
前記隙間域又は前記隙間の調整を隙間調整ネジにより行う請求項３又は請求項５に記載のＥメカニズム。
【手続補正２】
【補正対象書類名】明細書
【補正対象項目名】全文
【補正方法】変更
【補正の内容】
【考案の詳細な説明】
【技術分野】
【０００１】  本考案は、フルート属の構造で、Ｅメカニズムと呼ばれる高音のＥ音を容易に発音できる装置に関する。
【背景技術】
【０００２】 図１に示すように、フルートは、内径１９ミリの管体２０に、トンホール１７と呼ばれる孔が開けられており、その孔は高さ約一ミリの煙突状に、胴部管で１３個立ち上げられている。其々のトンホールには、其々のキイカップが付けられており、それを開閉することで音階が作られる。 また、図２に示すように、全てのキイカップには中空の細パイプ２４が溶接されており、細パイプ中空部２５に一方にネジを有した芯金２６を挿入し、ポスト１９にネジこみ固定し、それを支点として上下動するよう管体に組み込まれている。  キイカップ１８にはタンポ２１が装着されており、指で押さえるとポスト１９で支えられた芯金２６を支点として下降してトンホール１７を閉じ、離すとバネによって開く。また逆に、押さえると開き、離すと閉じるキイカップも存在する。  其々のキイカップには名称があるが、本考案では、開いた時に出る音名を名称とした。  足１６は、キイカップの開き度合いを一定にするストッパーや、キイカップ間の連絡カムとしての役割を持っている。【０００３】  フルートは頭部管、胴部管、足部管の３点で構成されているが、本考案は、胴部管のキイの構造に関する。【０００４】  フルートは、通常、１オクターブから３オクターブ以上の音域を持っているが、その内、出し難い幾つかの音があり、それを出しやすくする為に様々な装置が考案されている。特に３オクターブのＥ音は演奏中発音ミスが多く、それを防ぐためにＥメカニズムと言う装置が従来から考案され実用化されている。以下単に「Ｅメカ」と記す。【０００５】  従来のＥメカが付いたものを図３に示す。打点で示した部分が、従来のＥメカと呼ばれる部分である。  Ｅ音を出すために、Ｆキイカップ１を閉じると、継ぎ手９、連絡棒１０、レバー１１、ボッチ２３を介して、Ｇ＃キイカップ４が連動して閉じる。つまり、従来のＥメカは、Ｆキイカップ１を閉じた時、連動してＧ＃カップ４が閉じる構造である。 また、そのため従来のＥメカにおいては、本来一体であるＡキイカップ５と、Ｇ＃キイカップ４は、中央で分離して、Ｇ＃キイカップ４を単独で動くようにしなければならないとされ、そのような構造がとられてきた。一方、Ａキイカップ５を押さえ閉じたときは、Ｇ＃キイカップ４も閉じなければならないため、カム１「８」及びカム２「７」が付けられている。
【考案の概要】
【考案が解決しようとする課題】
【０００６】  従来のＥメカは、大型で外観を損なうだけでなく、部品数が多いことで、調整も困難であった。更に、演奏時邪魔になる等、問題が多かった。
【課題を解決するための手段】
【０００７】  本考案は、上記問題点を解決するため、図３に示されるような従来のＥメカに使用されていた、継ぎ手９、連絡棒１０、レバー１１、及び図３−１に示されるＧ＃キイカップ４に付されていたボッチ２３を廃して、図４に示すような「Ｇ＃足３」を、Ｇ＃キイカップ４に取り付け、Ｆ＃キイカップ２と一体のスクイ６を利用してＧ＃足３を押し上げ、Ｇ＃キイカップ４を閉じるようにした。つまり、従来、Ｆキイカップ１から連動して閉じていたＧ＃キイカップ４を、本考案においては、Ｆ＃キイカップ２から連動して閉じるようにした。スクイ６は元来、図１に示されるように、Ｇキイカップ２９及びアイスレバー２２を連動させるためのものであるが、本考案では更に、図４に示すとおり、Ｇ＃足３もスクイ６によって連動させ、Ｆ＃キイカップ２からの連動でＧ＃キイカップ４の連動開閉を行うようにした。【０００８】  なぜ従来、Ｆキイカップ１から連動して閉じていたＧ＃キイカップ４を、Ｆ＃キイカップ２からの連動で閉じても同様の効果が得られるかについて述べると、３オクターブのＥ音を発音する運指は、必ず、Ｆキイカップ１及びＦ＃キイカップ２を同時に閉じなければならない。そうすると、Ｇ＃キイカップ４の開閉は、Ｆキイカップ１でなく、Ｆ＃キイカップ２から連動させてもよいこととなる。すなわち、図３に示すように、従来、Ｆキイカップ１から連動していたＧ＃キイカップ４の開閉を、図４に示すように、Ｆ＃キイカップ２のスクイ６からＧ＃足３を経て連動開閉させても、同様の効果が得られるのである。【０００９】 このような本考案の構造においては、Ｆ＃キイカップ２を単独で開閉した場合、従来閉じなかったＧ＃キイカップ４も閉じてしまう弊害はないのかが問題となる。しかしながら、運指、操作性、音程等、多方面から検討してみたが、問題点は発見できなかった。
【考案の効果】
【００１０】  従来のＥメカは、運指の邪魔になる、大型で重くて外観を損なう等の問題があった。本考案は、図３及び図３−１に示されるように、従来必要であった、継ぎ手９、連絡棒１０、レバー１１、ボッチ２３を廃して、図４に示すような「Ｇ＃足３」を設けるだけで従来と同様の効果が得られるうえ、軽量でシンプル、更に、製作及び調整が容易であることから、安価で供給できる。    
【図面の簡単な説明】
【００１１】
【図１】フルートの組み立て上面展開図であり、Ｅメカのついていないものである。管体部は省略する。キイカップ類の名称はそのキイカップを開いた時発音する音名で記す。
【図１−１】図１の管体部であり、胴部管を示す図である。アルファベットはそのトンホールから出る音名を示す。
【図２】胴部管の側面からみた管体部断面を拡大した図である。
【図２−１】従来のＥメカ用Ｇ＃キイカップの斜視図と芯金を示す図である。
【図３】従来のＥメカを示す上面展開図である。打点部分が付いた部分が従来のＥメカである。管体部及び裏Ｇ＃キイカップは省略する。
【図３−１】図３の分解図である。
【図４】本考案のＥメカを示す上面展開図である。打点部分がついた部分が本考案のＥメカである。管体部及び裏Ｇ＃カップは省略する。  Ｆ＃キイカップ２からＧ＃足３の連絡部を「前面図」であらわす。
【図４−１】図４の分解図である。
【図５】本考案の、応用例１を示す図である。  Ｇ＃キイカップ４及びＡキイカップ５を分離せず、Ｆ＃キイカップ２を押さえ閉じることで、スクイ６及びＧ＃足３を経て両キイカップを閉じる。分離しないことで発生する弊害は、Ｆ＃キイカップ２を閉じたとき、連動してＧ＃キイカップ４及びＡキイカップ５も閉じるが、それを全閉せず約３分の２だけ閉じることで解決できる。そのためには、スクイ６とＧ＃足３の連絡部に隙間域１５を設け、Ｇ＃足３を上下に曲げ、Ｇ＃キイカップ及びＡキイカップ５が約３分の２閉じるよう調整する。また、Ｇ＃足３に隙間調整ネジ３９を設け、回転させることで調整してもよい。図７参照。
【図５−１】図５の分解図である。
【図６】本考案の、応用例２を示す図である。  Ｇ＃キイカップ４及びＡキイカップ５を分離せず、Ｆ＃キイカップ２の継ぎ手小１４及び連絡棒小１３、カム３「１２」を経て、Ｇ＃キイカップ４及びＡキイカップ５を連動する。Ｇ＃キイカップ４及びＡキイカップ５を分離しないことで発生する弊害は、Ｆ＃キイカップ２を押さえ閉じたとき、Ｇ＃キイカップ４及びＡキイカップ５を全閉せず３分の２だけ閉じるように調整することで解決できる。調整方法は、連絡棒小１３、カム３「１２」の連絡部にＧ＃キイカップ４とＡキイカップ５を３分の２閉じるよう調整した隙間を設ける。
【図６−１】図６の分解図である。
【図７】本考案の応用例１の参考図であり、隙間調整ネジ取り付け図である。  隙間調整ネジ３９は、貫通ネジ孔を設けたＧ＃足３にねじ込まれ、先端はスクイ６に接しておりネジを回転させることで隙間度を調整できる。また、一定以上緩めることでＥメカとしての機能を解除するためにも使用できる。Ｅメカは、稀ではあるが特殊な運指に障害となる場合があり、解除機能は有益である。
【考案を実施するための形態】
【００１２】 本考案の基本例を図４に示す。  本考案は、図３に示されるような、従来Ｆキイカップ１に付されていた、継ぎ手９、連絡棒１０、レバー１１、及び図３−１に示されるＧ＃キイカップ４に付されていたボッチ２３を廃し、図４に示すような「Ｇ＃足３」を、Ｇ＃キイカップ４に取り付け、Ｆ＃キイカップ２と一体のスクイ６を利用してＧ＃足３を押し上げ、Ｇ＃キイカップ４を閉じるようにする。つまり、従来、Ｆキイカップ１から連動して閉じていたＧ＃カップ４を、本考案においては、Ｆ＃キイカップ２から連動して閉じる。スクイ６は元来、図１、Ｇキイカップ２９及びアイスレバー２２を連動させるためのものであるが、本考案では更に、図４に示すとおり、「Ｇ＃足３」もスクイ６によって連動させ、Ｆ＃キイカップ２からの連動でＧ＃カップ４の連動開閉を行う。
【００１３】 上記基本例により従来の問題点を解決することができたが、Ｇ＃足３とスクイ６の連絡部に、調整可能な隙間域１５を設けておき、適宜隙間の調整をすることで、本考案は更に応用範囲を広げることができる。
【００１４】 本考案の応用例１を図５に示す。 Ｇ＃キイカップ４及びＡキイカップ５を分離せず、Ｆ＃キイカップ２を押さえ閉じることで、スクイ６及びＧ＃足３を経て、両キイカップを閉じる。 分離しないことで発生する弊害は、Ｆ＃キイカップ２を閉じたとき、連動してＧ＃キイカップ４及びＡキイカップ５も閉じるが、それを全閉せず約３分の２だけ閉じることで解決できる。そのためには、スクイ６とＧ＃足３の連絡部に隙間域１５を設け、Ｇ＃足３を上下に曲げ、Ｇ＃キイカップ及びＡキイカップ５が約３分の２閉じるよう調整する。
【００１５】  前記調整は、図７に示すように、Ｇ＃足３に隙間調整ネジ３９を設け、回転させることにより行うようにしてもよい。隙間調整ネジ３９は、貫通ネジ孔を設けたＧ＃足３にねじ込まれ、先端はスクイ６に接しており、ネジを回転させることで隙間度を調整できる。  また、一定以上緩めることでＥメカとしての機能を解除するためにも使用できる。Ｅメカは、稀ではあるが特殊な運指に障害となる場合があり、このような解除機能は有益である。
【００１６】  本考案の応用例２を図６に示す。  Ｇ＃キイカップ４及びＡキイカップ５を分離せず、かつ、Ｇ＃足３の代わりに、Ｆ＃キイカップ２の継ぎ手小１４、連絡棒小１３、及びカム３「１２」を経て、Ｇ＃キイカップ４及びＡキイカップ５を連動する。  Ｇ＃キイカップ４及びＡキイカップ５を分離しないことで発生する弊害は、Ｆ＃キイカップ２を押さえ閉じたとき、Ｇ＃キイカップ４及びＡキイカップ５を全閉せず３分の２だけ閉じるように調整することで解決できる。調整方法は、連絡棒小１３、カム３「１２」の連絡部にＧ＃キイカップ４とＡキイカップ５を３分の２閉じるよう調整した隙間を設ける。
【符号の説明】
【００１７】キイカップ名称は開いた時出る音名で記す。１    Ｆキイカップ      ２    Ｆ＃キイカップ    ３    Ｇ＃足            ４    Ｇ＃キイカップ      ５    Ａキイカップ          ６    スクイ                                  ７    カム２                          ８    カム１                      ９    継ぎ手                          １０  連絡棒                            １１  レバー                １２  カム３                １３  連絡棒小          １４  継ぎ手小          １５  隙間調整域        １６  開度調整足        １７  トンホール        １８  キイカップ                          １９  ポスト                        ２０  管体                ２１  タンポ                ２２  アイスレバー            ２３  ボッチ                        ２４  細パイプ              ２５  細パイプ中空部          ２６  芯金              ２７  接続管                ２８  Ｅキイカップ    ２９  Ｇキイカップ    ３０  Ｂ♭キイカップ３１  Ｂキイカップ３２  Ｃ＃押キイ３３  Ｃ＃キイカップ３４  裏Ｇ＃キイカップ３５  ブリチャルディキイ                ３６  ブリチャルディＣキイ          ３７  Ｄトリルキイカップ３８  Ｄ＃トリルキイカップ  ３９  隙間調整ネジ